(57)【要約】      （修正有）【課題】固定支持体の厚さの変化に対して可動狭持片を素早く移動させることが可能であり、かつ長期使用に対しても弛むことのないスライド式挟持具を提供すること。【解決手段】固定狭持片３８と、この固定狭持片３８に対して離接可能な可動狭持片４０とで固定支持体を挟持して物品を支持するスライド式挟持具３６において、固定狭持片３８が、長手方向に複数のノッチ５２を有する柱状体４２を有し、可動狭持片４０が柱状体４２に沿って移動することにより、固定狭持片３８に対して離接可能に支持されるとともに、任意のノッチ５２に係合してこの可動狭持片４０の移動を阻止するロック手段４７を備えた構成とすることで、スライド式挟持具３６をテーブルなどの固定支持体の厚さの変化に素早く対応して取り付けることができる。【選択図】  図４
2004181155.tif 000002
【特許請求の範囲】
【請求項１】
固定狭持片と、該固定狭持片に対して離接可能な可動狭持片とで固定支持体を挟持して物品を支持するスライド式挟持具であって、前記固定狭持片は長手方向に複数のノッチを有する柱状体を有し、前記可動狭持片は前記柱状体に沿って移動することにより固定狭持片に対して離接可能に支持されるとともに、任意のノッチに係合して該可動狭持片の移動を阻止するロック手段を備えていることを特徴とするスライド式挟持具。
【請求項２】
前記ノッチを有する柱状体は中間に前記可動狭持片の移動を案内する空間を形成する２本の柱状体で構成され、該可動狭持片はそれぞれの柱状体のノッチに同時に係合する爪部を有している請求項１に記載のスライド式挟持具。
【請求項３】
前記ロック手段は前記柱状体に対する可動狭持片に摩擦押圧力を付与するものである請求項１または２に記載のスライド式挟持具。
【請求項４】
前記可動狭持片は回動自在に支持したカムレバーを有し、該カムレバーの回動により前記摩擦押圧力が付与される請求項３に記載のスライド式挟持具。
【発明の詳細な説明】
【０００１】
【発明の属する技術分野】
本発明は、固定狭持片と、該固定狭持片に対して離接可能な可動挟持片とで固定支持体を挟持して物品を支持するスライド式挟持具に関する。
【０００２】
【従来の技術】
従来、物品を支持するスライド式挟持具において、固定支持体の厚みが変化しても常に狭持片で固定支持体を挟持する手段として、折曲げ自在の挟持片の押圧力で挟持したもの（特許文献１参照）が知られているが、固定支持体の厚さが薄いと、充分な押圧力が得られず物品を支持するフックがガタ付く恐れがあった。このような状況を回避するために、可動狭持片をネジ部材で締め込んでスライドさせ固定支持体を挟持するスライド式挟持具（特許文献２参照）も公知技術として既に知られている。
【０００３】
【特許文献１】
実用新案登録３０１２２２２号公報（段落００１０−００１２、図１、２）
【特許文献２】
特開平７−３１３３２５号公報（段落００１０−００１４、図１、２）
【０００４】
【発明が解決しようとする課題】
上述した特許文献２に記載のスライド式挟持具はネジ部材により固定支持体の厚さが変わっても所定押圧力で挟持することができるが、ネジ部材の回転により可動狭持片を移動しているために、固定支持体の厚さの変化に対してすぐに対応する位置に移動できず操作性が悪かった。しかもネジ部材による締め付けであるので長期に使用しているとネジが弛む恐れもあった。
【０００５】
本発明は、このような問題点に着目してなされたもので、固定支持体の厚さの変化に対して可動狭持片を素早く移動させることが可能であり、かつ長期使用に対しても弛むことのないスライド式挟持具を提供することを目的とする。
【０００６】
【課題を解決するための手段】
上記課題を解決するために、本発明のスライド式挟持具は、固定狭持片と、該固定狭持片に対して離接可能な可動狭持片とで固定支持体を挟持して物品を支持するスライド式挟持具であって、前記固定狭持片は長手方向に複数のノッチを有する柱状体を有し、前記可動狭持片は前記柱状体に沿って移動することにより固定狭持片に対して離接可能に支持されるとともに、任意のノッチに係合して該可動狭持片の移動を阻止するロック手段を備えていることを特徴としている。
この特徴によれば、可動狭持片は柱状体に沿って移動することができるので、固定支持体の厚さの変化に素早く対応することが可能である。
【０００７】
本発明のスライド式挟持具において、前記ノッチを有する柱状体は中間に前記可動狭持片の移動を案内する空間を形成する２本の柱状体で構成され、該可動狭持片はそれぞれの柱状体のノッチに同時に係合する爪部を有していることが好ましい。
このようにすれば、可動狭持片はその爪部で２本の柱状体の各々のノッチに係合できるので、ロック手段作動時に確実な係止が実現される。
【０００８】
本発明のスライド式挟持具において、前記ロック手段は前記柱状体に対する可動狭持片に摩擦押圧力を付与するものであることが好ましい。
このようにすれば、可動狭持片を摩擦押圧力で柱状体に保持できるので、構成が簡素なロック手段を採用できる。
【０００９】
本発明のスライド式挟持具において、前記可動狭持片は回動自在に支持したカムレバーを有し、該カムレバーの回動により前記摩擦押圧力が付与されることが好ましい。
このようにすれば、摩擦押圧力の付与手段としてネジ部材を使用していないので、長期に使用しても弛むことがない。
【００１０】
【発明の実施の形態】
以下、本発明の実施例を図面に基づいて説明する。
【００１１】
図１は本発明の第１実施形態に係るスライド式挟持具の斜視図、図２の（ａ）は可動狭持片のロック手段が解除された状態を示すスライド式挟持具の縦断面図、（ｂ）は可動狭持片のロック手段がロックされた状態を示すスライド式挟持具の縦断面図、（ｃ）は（ｂ）のＡ矢視図である。
【００１２】
図１、図２に示す符号１はスライド式挟持具であって、このスライド式挟持具１は、固定狭持片２と、この固定狭持片２に対し離接可能な可動狭持片４とにより、固定支持片となる例えば図示しないテーブル等の端部を挟持して重量物を支持するよう構成されたもので、それぞれの部材は合成樹脂で成形されている。
【００１３】
詳しくは、固定狭持片２はその押圧面となる下面には合成樹脂製の軟質シート２０が貼着され、かつ幅方向中央に空間となる縦長矩形の挿通孔５ａを形成した所定肉厚の柱状体５を有している。この柱状体５前面の挿通孔５ａの両側には複数の横長のノッチ１２ａ、１２ｂが所定ピッチで長手方向に配設されている。
【００１４】
また、可動狭持片４は、固定狭持片２と対面するよう柱状体５に移動自在に支持されており、可動狭持片４と略同一形状に形成された支持体６の押圧面となる上面には多数の突条片を配設した合成樹脂製の軟質シート２２が貼着されている。
【００１５】
この可動狭持片４は挿通孔５ａに沿って移動することにより、固定狭持片２に対し離接可能であり、ロック手段１７を作動することにより柱状体５前面の所定位置にロックできるように支持されている。
【００１６】
すなわち、可動狭持片４の柱状体５側には、上記ノッチ１２ａ、１２ｂに係合可能な２つの爪部Ｔが左右に突設しており、その中央には挿通孔５ａの横幅と略同一厚みを有する支持片６ａが設けられている。
【００１７】
そして柱状体５の背面には、挿通孔５ａに沿った両側に段付き部となる押圧面１４が形成されており、挿通孔５ａを挿通して背面側に突出した支持片６ａの端部には、支持軸１８を介してカムレバー１５が回動可能に枢着されている。
【００１８】
カムレバー１５の支持片６ａを挟む両側先端に上記押圧面１４を押圧する一対のカム押圧部１６が形成されており、カムレバー１５の上方への回動操作（図２ｂ）により、支持軸１８が図２（ｂ）において左方に移動して爪部Ｔがノッチ１２ａ、１２ｂに係合すると共に、一対のカム押圧部１６が柱状体５の押圧面１４を押圧して、可動狭持片４に摩擦押圧力が付与される。
【００１９】
一方、柱状体５の下端には左右に離間した一対の支持アーム１０ａ、１０ｂが前方に突設しており、これら支持アーム１０ａ、１０ｂ間に回動自在に架設された回動軸２４の中央において、保持具２６が回動軸２４の軸心と直交する垂直軸心の回りに回転可能に係止されており、この保持具２６には枢軸３４を介してフックＨが揺動可能に支持されている。
【００２０】
次に、上記のように構成されたスライド式挟持具の使用例に付き図２の（ａ）〜（ｃ）を参照して説明する。
【００２１】
先ず、スライド式挟持具１を固定支持片（テーブル等）の端部に取付ける際は、図２の（ａ）に示すように、カムレバー１５を下方へ回動操作することにより、一対のカム押圧部１６が支持軸１８を中心として時計廻りに回動して押圧面１４から離反することで摩擦押圧力が作用せず、ロック手段１７が解除した状態となっている。
【００２２】
これにより、可動狭持片４後端下方に突設した爪部Ｔと上記ノッチ１２ａ、１２ｂとの係合が離脱可能な状態となり、可動狭持片４は柱状体５に沿って移動することにより固定狭持片２に対して離接することができる。
【００２３】
次いで、所定間隔離間した固定狭持片２の押圧面となる軟質シート２０をテーブル等の端部上面に当接させた状態で、可動狭持片４を移動させてその軟質シート２２をテーブルの端部下面に押圧することで、テーブル等の端部両面が挟持される。
【００２４】
この状態で、図２の（ｂ）、（ｃ）に示すように、カムレバー１５を上方に回動させることで、一対のカム押圧部１６が支持軸１８を中心として反時計回りに回動し、押圧面１４がカム押圧部１６によって押圧されて摩擦押圧力が付与される。
【００２５】
これによって、可動狭持片４は、後端部に突設した爪部Ｔがノッチ１２ａ、１２ｂに係合した状態で柱状体５の所定位置にロックされ、可動狭持片４の上下方向の移動が阻止される。
【００２６】
従って、上記のように構成された第１実施形態に係るスライド式挟持具によれば、ノッチ１２ａ、１２ｂを有する柱状体５は、その中間に可動狭持片４の移動を案内する縦長矩形の挿通孔５ａが形成され、この可動狭持片４は、挿通孔５ａによって左右に形成されるノッチ１２ａ、１２ｂに同時に係合する爪部Ｔを有しているので、ロック手段１７の作動時に確実な係止が実現される。
【００２７】
また、ロック手段１７が、カム作動による摩擦押圧力を利用して可動狭持片４を柱状体５に保持できる簡素な構成となっているので、コンパクトなスライド式挟持具１に好適に採用することができる。
【００２８】
更に、可動狭持片４が、回動自在に支持したカムレバー１５を有し、このカムレバー１５の回動により上記のように適切な摩擦押圧力を付与する付与手段としてネジ部材を使用していないので、長期に使用しても弛むことがない。
【００２９】
次に、本発明の第２実施形態に係るスライド式挟持具に付き、図３及び図４を参照して説明する。図３は、本発明の第２実施形態に係るスライド式挟持具の斜視図、図４の（ａ）は可動狭持片のロック手段がロックされた状態を示すスライド式挟持具の縦断面図、（ｂ）は（ａ）のＢ矢視図である。尚、第１実施形態に係るスライド式挟持具の構成部分と同一構成部分は同一符号を付して説明を省略する。
【００３０】
符号３６は、第２実施形態に係るスライド式挟持具であって、このスライド式挟持具３６は、固定挟持片３８と、この固定挟持片３８に対し離接可能な可動狭持片４０とにより構成されたもので、それぞれの部材は合成樹脂などで成形されている。
【００３１】
この固定挟持片３８はその押圧面となる下面には合成樹脂製の軟質シート２０が貼着されており、かつ方形断面で縦長に形成された柱状体４２を有している。この柱状体４２の前面には複数の横長のノッチ５２が所定ピッチで長手方向に配設されている。
【００３２】
また、可動狭持片４０は、固定挟持片３８と対面するよう柱状体４２に支持されており、可動狭持片４０と略同一形状に形成された支持片４４の押圧面となる上面には多数の突条片を配設した合成樹脂製の軟質シート２２が貼着されている。
【００３３】
この可動狭持片４０は、固定挟持片３８に対し離接可能であってロック手段４７により柱状体４２前面の所定位置にロックできるように支持されており、可動狭持片４０の柱状体４２側には上記ノッチ５２に係合可能な単一の爪部Ｔが突設され、更に柱状体４２の両側面を挟んでその後方に斜め上方に延出する一対の支持片５４ａ、５４ｂが設けられている。
【００３４】
そして柱状体４２の背面中央には、縦長の押圧面６０が形成されており、柱状体４２の後方に延出した一対の支持片５４ａ、５４ｂ間には、支持軸５５を介してカムレバー５０が回動可能に枢着されている。
【００３５】
このカムレバー５０の支持軸５５の枢着部近傍には、上記押圧面６０を押圧するカム押圧部６２が形成されており、カムレバー５０の上方への回動操作によりカム押圧部６２を介して押圧面６０が押圧されて摩擦押圧力が付与されるようになっている。
【００３６】
一方、柱状体４２の下端には左右に離間した一対の支持アーム４８ａ、４８ｂが前方に突設しており、これら支持アーム４８ａ、４８ｂ間に回動自在に架設された回動軸５６の中央において、保持具２６が回動軸５６の軸心と直交する垂直軸心の回りに回転可能に係止されており、この保持具２６には枢軸３４を介してフックＨが揺動可能に支持されている。
【００３７】
従って、上記のように構成された第２実施形態に係るスライド式挟持具は、上記実施形態と同一作用を行うのでその説明は省略するが、可動狭持片４０は、柱状体４２に沿って移動することができるので、上記と同様にテーブルなどの固定支持体の厚さの変化に素早く対応することが可能である。
【００３８】
最後に、本発明のスライド式挟持具の使用変形例について、図５及び図６を参照して説明する。図５は固定狭持片に掲示物支持具を取り付けた斜視図であり、図６は固定狭持片に挟み型クリップを取り付けた斜視図である。
【００３９】
一つの使用例として図５に基づいて説明すると、３８は第２実施形態に係るスライド式挟持具３６の固定狭持片であって、この狭持片３８に掲示物支持具６４が取り付けられている。掲示物支持具６４は、掲示体６７と、固定狭持片３８に設けられているジョイント受け体６５に球面支持されるボール体６６及び掲示体６７のジョイント受け体６８に摺動嵌合して掲示体６７を球面支持するボール体６９を両端に有する支持軸７０とで構成されている。
【００４０】
使用法としては、フックＨに商品を吊し掲示体６７を利用して商品案内をすることもできるし、フックＨを取り付けずに単に掲示物を掲示体６７に貼着してもよい。
【００４１】
他の使用例として図６に基づいて説明すると、３８は同様に第２実施形態に係るスライド式挟持具３６の固定狭持片であって、この狭持片３８に挟み型クリップ７２が取り付けられている。この挟み型クリップ７２はバネ付勢により先端部が閉じた一対のクリップ片７４，７５で構成され、両クリップ片７４，７５の後端部は固定狭持片３８に設けられた支持部７６に回動自在に軸止されている。
【００４２】
使用法としては図５に示したものと同様に、フックＨに商品を吊し挟み型クリップ７２を利用して商品案内札を保持させることもできるし、フックＨを取り付けずに単に掲示物を挟み型クリップ７２に挟持してもよい。
【００４３】
【発明の効果】
本発明は以下の効果を奏する。
【００４４】
（ａ）請求項１項の発明によれば、可動狭持片は柱状体に沿って移動することができるので、固定支持体の厚さの変化に素早く対応することが可能である。
【００４５】
（ｂ）請求項２項の発明によれば、可動狭持片はその爪部で２本の柱状体の各々のノッチに係合できるので、ロック手段作動時に確実な係止が実現される。
【００４６】
（ｃ）請求項３項の発明によれば、可動狭持片を摩擦押圧力で柱状体に保持できるので、構成が簡素なロック手段を採用できる。
【００４７】
（ｄ）請求項４項の発明によれば、摩擦押圧力の付与手段としてネジ部材を使用していないので、長期に使用しても弛むことがない。
【図面の簡単な説明】
【図１】本発明の第１実施形態に係るスライド式挟持具の斜視図である。
【図２】（ａ）は可動狭持片のロック手段が解除された状態を示すスライド式挟持具の縦断面図、（ｂ）は可動狭持片のロック手段がロックされた状態を示すスライド式挟持具の縦断面図、（ｃ）は（ｂ）のＡ矢視図である。
【図３】本発明の第２実施形態に係るスライド式挟持具の斜視図である。
【図４】（ａ）は可動狭持片のロック手段がロックされた状態を示すスライド式挟持具の縦断面図、（ｂ）は（ａ）のＢ矢視図である。
【図５】固定狭持片に掲示物支持具を取り付けた斜視図である。
【図６】固定狭持片に挟み型クリップを取り付けた斜視図である。
【符号の説明】
１                    スライド式挟持具
２                    固定狭持片
４                    可動狭持片
５                    柱状体
５ａ                  挿通孔
６                    支持体
６ａ                  支持片
１０ａ、１０ｂ        支持アーム
１２ａ、１２ｂ        ノッチ
１４                  押圧面
１５                  カムレバー
１６                  カム押圧部
１７                  ロック手段
１８                  支持軸
２０、２２            軟質シート
２４                  回動軸
２６                  保持具
３４                  枢軸
３６                  スライド式挟持具
３８                  固定挟持片
４０                  可動狭持片
４２                  柱状体
４４                  支持片
４７                  ロック手段
４８ａ、４８ｂ        支持アーム
５０                  カムレバー
５２                  ノッチ
５４ａ、５４ｂ        支持片
５５                  支持軸
５６                  回動軸
６０                  押圧面
６２                  カム押圧部
６４                  掲示物支持具
６５，６８            ジョイント受け体
６６，６９            ボール体
６７                  掲示体
７０                  支持軸
７２                  挟み型クリップ
７４，７５            一対のクリップ片
７６                  支持部
Ｈ                    フック
Ｔ                    爪部
【図１】
2004181155.tif 000003
【図２】
2004181155.tif 000004
【図３】
2004181155.tif 000005
【図４】
2004181155.tif 000006
【図５】
2004181155.tif 000007
【図６】
2004181155.tif 000008